(57)【特許請求の範囲】
【請求項１】
一般式（Ｉ）で示されるイミノ化合物（式（Ｉ）中、AはC=NHを表し、Xはシアノ基、ｎは２以上４以下の整数を表す。）と一般式（ＩＩ）で表される芳香族イソシアナート化合物とから主としてなることを特徴とする感熱剤。
【化１】
0003543858.tif 000005
【化２】
0003543858.tif 000006
式（ＩＩ）中、Ｘは、ハロゲン、アルキル基、アリール基、アルコキシル基、ヒドロキシル基、Ｎ，Ｎ−ジアルキルアミノ基を表す。ａ、ｂ、ｃは整数で、以下の関係を満たす。
１≦ａ≦６、０≦ｂ≦５、０≦ｃ≦５、ａ＋ｂ＋ｃ＝６
ここで２≦ｂの場合、Ｘはそれぞれの中で相互に異なってもよい。
【請求項２】
請求項１記載のイミノ化合物と芳香族イソシアナート化合物を含有する感熱剤を支持体上に発色層として設けた感熱記録シート。
【発明の詳細な説明】
【０００１】
【産業上の利用分野】
本発明は、画像保存性に優れた感熱剤および感熱記録シートに関する。さらに詳しくは、イミノ化合物と芳香族イソシアナート化合物とからなる感熱剤およびこれらを含有する発色層を設けてなる感熱記録シートに関する。
【０００２】
【従来の技術】
近年、例えば、ファクシミリ、プリンター、レコーダー等の各種情報機器において、熱エネルギーによって記録を行う感熱記録方式が多く採用されるようになった。これら記録方式の主流は、共に、２成分化学発色剤を含有する発色層を支持体上に設けてなる記録シートを用い、これに記録エネルギーとして熱を加えることにより、記録シート上で発色剤成分を相互に接触させ、発色記録する方法である。中でも、発色剤として、ロイコ染料と酸性物質を用いるものが多い。
【０００３】
これら従来公知のロイコ染料を用いた記録シートは、白色度が高い、外観、感触が普通紙に近い、発色感度等の記録適性が良い等、多くの優れた特性を備えており、また感熱記録シートは、装置が小型、メインテナンスフリー、騒音の発生がないことなどの利点があり、計測用記録計、ファクシミリ、プリンター、コンピューターの端末機、ラベル、乗車券等の自動券売機など広範囲の分野に用途を拡大してきた。反面、これらロイコ染料を用いた記録シートは、例えば、クリスタルバイオレットラクトンと４，４’−イソプロピリデンジフェノール（ビスフェノールＡ）を発色剤とする感熱紙（米国特許第３５３９３７５号など参照）で代表されるように、発色して得られる記録部分の耐薬品性が劣ることから、プラスチックシートや消しゴムに含まれる可塑剤あるいは食品や化粧品に含まれる薬品に接触して、記録が容易に消失したり、また、記録部分の耐光性が劣ることから、比較的短期間の日光暴露で記録が退色したり、さらには消失するなど、記録の保存安定性に劣るという欠点を有し、この欠点の故に、その用途に一定の制約を受けているのが現状であり、その改良が強く望まれている。
【０００４】
既にこの様な要望に対して保存性の良い記録画像が得られる感熱記録材料として、例えば特開昭５８−３８７３３号、特開昭５８−５４０８５号、特開昭５８−１０４９５９号、特開昭５８−１４９３８８号、特開昭５９−１１５８８７号、特開昭５９−１１５８８８号の各公報及び米国特許第４５２１７９３号明細書には、芳香族イソシアネートを主としてなる感熱剤とイミノ化合物を主としてなる感熱剤の組合せからなる記録シートが開示されている。
【０００５】
この感熱剤は、２成分接触反応により発色物を生成し、この発色物の耐薬品性および耐光性は優れる。しかしながら、この発色物の色相は、用いるイミノ化合物および芳香族イソシアナート化合物の選択により広範囲に変化させられるが、赤系、橙系、黄系である場合が多く、例えば、記録において多くの場合に要求される黒発色についても、赤味を帯びた黒である場合が多い。紫味を帯びた黒の発色は比較的難しい。特開昭６１−２０５１８３号公報には色相が紫味である感熱記録シートが開示されているが、感度に問題があった。
【０００６】
【発明が解決しようとする課題】
本発明は、画像保存性に優れ、かつ、発色可能な色相が紫味黒で高感度である感熱剤および該感熱剤よりなる感熱記録シートを提供するものである。
【０００７】
【課題を解決するための手段】
すなわち、本発明は、一般式（Ｉ）で示されるイミノ化合物（式（Ｉ）中、ＡはＣ＝ＮＨを表し、Ｘはシアノ基、ｎは２以上４以下の整数を表す。）と一般式（ＩＩ）で表される芳香族イソシアナート化合物とから主としてなることを特徴とする感熱剤、および該感熱剤を支持体上に発色層として設けた感熱記録シートである。
【０００８】
【化３】
0003543858.tif 000002
【０００９】
【化４】
0003543858.tif 000003
【００１０】
式（ＩＩ）中、Ｘはハロゲン、アルキル基、アリール基、アルコキシル基、ヒドロキシル基、Ｎ，Ｎ−ジアルキルアミノ基を表す。ａ、ｂ、ｃは整数で、以下の関係を満たす。
ｌ≦ａ≦６、０≦ｂ≦５、０≦ｃ≦５、ａ＋ｂ＋ｃ＝６
ここで２≦ｂの場合、Ｘは相互に異なってもよい。
【００１１】
式（Ｉ）中のＡがＣ＝ＮＨでかつＸがシアノ基である。
本発明に用いられるイミノ化合物は、２５℃で固形の無色または淡色の化合物である。置換基として、電子吸引性の比較的強いシアノ基を２個以上芳香環に有するものである。以下に具体例を示す。目的に応じて２種以上のイミノ化合物を併用することも可能である。例えば、５，６−ジシアノ−１，３−ジイミノイソインドレニン、５，６−ジシアノ−３−イミノイソインドレニン−１−オン等がある。
【００１２】
本発明に用いられる芳香族性イソシアナート化合物とは、２５℃で固体の無色または淡色の芳香族イソシアナート化合物を指し、例えば、下記のイソシアナート化合物の１種以上が用いられる。
２，６−ジクロロフェニルイソシアナート、ｐ−クロロフェニルイソシアナート、１，３−フェニレンジイソシアナート、１，４−フェニレンジイソシアナート、１，３−ジメチルベンゼン−４，６−ジイソシアナート、１，４−ジメチルベンゼン−２，５−ジイソシアナート、１−メトキシベンゼン−２，４−ジイソシアナート、１−メトキシベンゼン−２，５−ジイソシアナート、１−エトキシベンゼン−２，４−ジイソシアナート、２，５−ジメトキシベンゼン−１，４−ジイソシアナート、２，５−ジエトキシベンゼン−１，４−ジイソシアナート、２，５−ジブトキシベンゼン−１，４−ジイソシアナートなどがある。これらのイソシアナートは、必要に応じて、フェノール類、ランタム類、オキシム類等との付加化合物である、いわゆるブロックイソシアナートのたかちで用いてもよく、ジイソシアナートの２量体、例えば１−メチルベンゼン−２，４−ジイソシアナートの２量体、および３量体であるイソシアヌレートのかたちで用いてもよく、また、各種のポリオール等でアダクト化したポリイソシアナートとして用いることも可能である。
【００１３】
本発明による感熱記録シートは、その感度を向上させるために熱可融性物質を含有させることができる。熱可融性物質の融点は６０℃〜１８０℃が好ましく、特に８０℃〜１４０℃が好ましい。
具体例として、ｐ−ベンジルオキシ安息香酸ベンジル、ステアリン酸アミド、パルミチン酸アミド、Ｎ−メチロールステアリン酸アミド、β−ナフチルベンジルエーテル、Ｎ−ステアリルウレア、Ｎ，Ｎ′−ジステアリルウレア、β−ナフトエ酸フェニルエステル、１−ヒドロキシ−２−ナフトエ酸フェニルエステル、β−ナフトール（ｐ−メチルベンジル）エーテル、１，４−ジメトキシナフタレン、１−メトキシ−４−ベンジルオキシナフタレン、Ｎ−ステアロイルウレア、４−ベンジルビフェニル、１，２−ジ（ｍ−メチルフェノキシ）エタン、１−フェノキシ−２−（４−クロロフェノキシ）エタン、１，４−ブタンジオールフェニルエーテル、ジメチルテレフタレート、メタターフェニル、シュウ酸ジベンジル、シュウ酸（Ｐクロロベンジル）エステル等が挙げられる。
【００１４】
前記熱可融性物質は、単独でも、あるいは混合して使用してもよく、十分な熱応答性を得るためには、芳香族性イソシアナート化合物に対して１０〜３００重量％が好ましく、更に２０〜２５０重量％用いることがより好ましい。
更に本発明による感熱記録シートには、少なくとも１個のアミノ基を有するアニリン誘導体を含有することもでき、地肌カブリ防止にはより効果的である。
【００１５】
これらの化合物としては、ｐ−アミノ安息香酸メチル、ｐ−アミノ安息香酸エチル、ｐ−アミノ安息香酸−ｎ−プロピル、ｐ−アミノ安息香酸−ｉｓｏ−プロピル、ｐ−アミノ安息香酸ブチル、Ｐ−アミノ安息香酸ドデシル、ｐ−アミノ安息香酸ベンジル、ｏ−アミノベンゾフェノン、ｍ−アミノアセトフェノン、ｐ−アミノアセトフェノン、ｍ−アミノベンズアミド、ｏ−アミノベンズアミド、ｐ−アミノベンズアミド、ｐ−アミノ−Ｎ−メチルベンズアミド、３−アミノ−４−メチルベンズアミド、３−アミノ−４−メトキシベンズアミド、３−アミノ−４−クロロベンズアミド、ｐ−（Ｎ−フェニルカルバモイル）アニリン、ｐ−〔Ｎ−（４−クロロフェニル）カルバモイル〕アニリン、ｐ−〔Ｎ−（４−アミノフェニル）カルバモイル〕アニリン、２−メトキシ−５−（Ｎ−フェニルカルバモイル）アニリン、２−メトキシ−５−〔Ｎ−（２′−メチル−３′−クロロフェニル）カルバモイル〕アニリン、２−メトキシ−５−〔Ｎ−（２′−クロロフェニル）カルバモイル〕アニリン、５−アセチルアミノ−２−メトキシアニリン、４−アセチルアミノアニリン、４−（Ｎ−メチル−Ｎ−アセチルアミノ）アニリン、２，５−ジエトキシ−４−（Ｎ−ベンゾイルアミノ）アニリン、２，５−ジメトキシ−４−（Ｎ−ベンゾイルアミノ）アニリン、２−メトキシ−４−（Ｎ−ベンゾイルアミノ）−５−メチルアニリン、４−スルファモイルアニリン、３−スルファモイルアニリン、２−（Ｎ−エチル−Ｎ−フェニルアミノスルホニル）アニリン、４−ジメチルアミノスルホニルアニリン、４−ジエチルアミノスルホニルアニリン、スルファチアゾール、４−アミノジフェニルスルホン、２−クロロ−５−Ｎ−フェニルスルファモイルアニリン、２−メトキシ−５−Ｎ，Ｎ−ジエチルスルファモイルアニリン、２，５−ジメトキシ−４−Ｎ−フェニルスルファモイルアニリン、２−メトキシ−５−ベンジルスルホニルアニリン、２−フェノキシスルホニルアニリン、２−（２′−クロロフェノキシ）スルホニルアニリン、３−アニリノスルホニル−４−メチルアニリン、ビス〔４−（ｍ−アミノフェノキシ）フェニル〕スルホン、ビス〔４−（ｐ−アミノフェノキシ）フェニル〕スルホン、ビス〔３−メチル−４−（ｐ−アミノフェノキシ）フェニル〕スルホン、３，３′−ジメトキシ−４，４′−ジアミノビフェニル、３，３′−ジメチル−４，４′−ジアミノビフェニル、２，２′−ジクロロ−４，４′−ジアミノ−５，５′−ジメトキシビフェニル、２，２′，５，５′−テトラクロロ−４，４′−ジアミノビフェニル、オルソ−トリジンスルホン、２，４′−ジアミノビフェニル、２，２′−ジアミノビフェニル、４，４′−ジアミノビフェニル、２，２′−ジクロロ−４，４′−ジアミノビフェニル、３，３′−ジクロロ−４，４′−ジアミノビフェニル、２，２′−ジメチル−４，４′−ジアミノビフェニル、４，４′−チオジアニリン、２，  ２′ジチオジアニリン、４，４′−ジチオジアニリン、４，４′−ジアミノジフェニルエーテル、３，３′−ジアミノジフェニルエーテル、３，４′−ジアミノジフェニルエーテル、４，４′−ジアミノジフェニルメタン、３，４′−ジアミノジフェニルメタン、ビス（３���アミノ−４−クロロフェニル）スルホン、ビス（３，４−ジアミノフェニル）スルホン、ビス（４−アミノフェニル）スルホン、ビス（３−アミノフェニル）スルホン、３，４′−ジアミノジフェニルスルホン、３，３′−ジアミノジフェニルメタン、４，４′−エチレンジアニリン、４，４′ジアミノ−２，２′−ジメチルジベンジル、４，４′−ジアミノ−３，３′−ジクロロジフェニルメタン、３，  ３′−ジアミノベンゾフェノン、４，４′−ジアミノベンゾフェノン、１，４−ビス（４−アミノフェノキシ）ベンゼン、１，３−ビス（４−アミノフェノキシ）ベンゼン、１，３−ビス（３−アミノフェノキシ）ベンゼン、９，９−ビス（４−アミノフェニル）フルオレン、２，２−ビス（４−アミノフェノキシフェニル）プロパン、４，４′−ビス（４−アミノフェノキシ）ジフェニル、３，３′，４，４′−テトラアミノジフェニルエーテル、３，３′，４，４′−テトラアミノジフェニルスルホン、３，３′４，４′−テトラアミノベンゾフェノン等が挙げられる。
【００１６】
更に、地肌かぶりや熱応答性等の観点から、Ｎ−ステアリル−Ｎ’−（２−ヒドロキシフェニル）ウレア、Ｎ−ステアリル−Ｎ’−（３−ヒドロコシフェニル）ウレア、Ｎ−ステアリル−Ｎ’−（４−ヒドロキシフェニル）ウレア、ｐ−ステアロイルアミノフェノール、ｏ−ステアロイルアミノフェノール、ｐ−ラウロイルアミノフェノール、ｐ−ブチリルアミノフェノール、ｍ−アセチルアミノフェノール、ｏ−アセチルアミノフェノール、ｐ−アセチルアミノフェノール、ｏ−ブチルアミノカルボニルフェノール、ｏ−ステアリルアミノカルボニルフェノール、ｐ−ステアリルアミノカルボニルフェノール、１，１，３−トリス（３−ｔｅｒｔ．−ブチル−４−ヒドロキシ−６−メチルフェニル）ブタン、１，１，３−トリス（３−ｔｅｒｔ．−ブチル−４−ヒドロキシ−６−エチルフェニル）ブタン、１，１，３−トリス（３，５−ジ−ｔｅｒｔ．−ブチル−４−ヒドロキシフェニル）ブタン、１，１，３−トリス（３−ｔｅｒｔ．−ブチル−４−ヒドロキシ−６−メチルフェニル）プロパン、１，２，３−トリス（３−ｔｅｒｔ．−ブチル−４−ヒドロキシ−６−メチルフェニル）ブタン、１，１，３−トリス（３−フェニル−４−ヒドロキシフェニル）ブタン、１，１，３−トリス（３−シクロヘキシル−４−ヒドロキシ−５−メチルフェニル）ブタン、１，１，３−トリス（３−シクロヘキシル−４−ヒドロキシ−６−メチルフェニル）ブタン、１，１，３−テトラ（３−フェニル−４−ヒドロキシフェニル）プロパン、１，１，３，３−テトラ（３−シクロヘキシル−４−ヒドロキシ−６−メチルフェニル）プロパン、１，１−ビス（３−ｔｅｒｔ．−ブチル−４−ヒドロキシ−６−メチルフェニル）ブタン、１，１−ビス（３−シクロヘキシル−４−ヒドロキシ−６−メチルフェニル）ブタン等のフェノール化合物を添加することも可能である。
【００１７】
また、画像の調色や画像濃度向上の目的で、画像保存性を損ねない程度において、発色剤には無色ないし淡色の塩基性染料、又、顕色剤には無機ないし有機の酸性物質を発色成分として併用もできる。この場合、発色剤及び／又は顕色剤は、芳香族イソシアナート化合物及び芳香族イミノ化合物を含む層に含有させることも、別の層として設けることもできる。
【００１８】
以下に発色剤の具体例を示す。
（１）トリアリールメタン系化合物として、３，３−ビス（ｐ−ジメチルアミノフェニル）−６−ジメチルアミノフタリド（クリスタルバイオレットラクトン）、３，３−ビス（ｐ−ジメチルアミノフェニル）フタリド、３−（ｐ−ジメチルアミノフェニル）−３−（１，２−ジメチルインドール−３−イル）フタリド、３−（ｐ−ジメチルアミノフェニル）−３−（２−メチルインドール−３−イル）フタリド、３−（ｐ−ジメチルアミノフェニル）−３−（２−フェニルインドール−３−イル）フタリド、３，３−ビス（１，２−ジメチルインドール−３−イル）−５−ジメチルアミノフタリド、３，３−ビス（１，２−ジメチルインドール−３−イル）−６−ジメチルアミノフタリド、３，３−ビス（９    −エチルカルバゾール−３−イル）−５−ジメチルアミノフタリド、３，３−ビス（２−フェニルインドール−３−イル）−５−ジメチルアミノフタリド、３−ｐ−ジメチルアミノフェニール−３−（１−メチルピロール−２−イル）−６−ジメチルアミノフタリド等が挙げられる。
【００１９】
（２）ジフェニルメタン系化合物として、４，４−ビス−ジメチルアミノフェニルベンズヒドリルベンジルエーテル、Ｎ−ハロフェニルロイコオーラミン、Ｎ−２，４，５−トリクロロフェニルロイコオーラミン等等が挙げられる。。
（３）キサンテン系化合物として、ローダミンＢアニリノラクタム、ローダミンＢ−ｐ−クロロアニリノラクタム、３−ジエチルアミノ−７−ジベンジルアミノフルオラン、３−ジエチルアミノ−７−オクチルアミノフルオラン、３−ジエチルアミノ−７−フェニルフルオラン、３−ジエチルアミノ−７−クロロフルオラン、３−ジエチルアミノ−６−クロロ−７−メチルフルオラン、３−ジエチルアミノ−７−（３，４−ジクロロアニリノ）フルオラン、３−ジエチルアミノ−７−（２−クロロアニリノ）フルオラン、３−ジエチルアミノ−６−メチル−７−アニリノフルオラン、３−（Ｎ−エチル−Ｎ−トリル）アミノ−６−メチル−７−アニリノフルオラン、３−ピペリジノ−６−メチル−７−アニリノフルオラン、３−（Ｎ−エチル−Ｎ−トリル）アミノ−６−メチル−７−フェネチルフルオラン、３−ジエチルアミノ−７−（４−ニトロアニリノ）フルオラン、３−ジブチルアミノ−６−メチル−７−アニリノフルオラン、３−（Ｎ−メチル−Ｎ−プロピル）アミノ−６−メチル−７−アニリノフルオラン、３−（Ｎ−エチル−Ｎ−イソアミル）アミノ−６−メチル−７−アニリノフルオラン、３−（Ｎ−メチル−Ｎ−シクロヘキシル）アミノ−６−メチル−７−アニリノフルオラン、３−（Ｎ−エチル−Ｎ−テトラヒドロフリル）アミノ−６−メチル−７−アニリノフルオランが挙げられる。
【００２０】
（４）チアジン系化合物として、ベンゾイルロイコメチレンブルー、ｐ−ニトロベンゾイルロイコメチレンブルー等が挙げられる。
（５）スピロ系化合物として、３−メチルスピロジナフトピラン、３−エチルスピロジナフトピラン、３，３−ジクロロスピロジナフトピラン、３−ベンジルスピロジナフトピラン、３−メチルナフト−（３−メトキシベンゾ）スピロピラン、３−プロピルスピロベンゾピラン等が挙げられる。
【００２１】
これらの発色剤は    単独で、又は、２種以上併用することもできる。
顕色剤は、一般に感熱紙に使用される電子受容性の物質が用いられ、特にフェノール誘導体、芳香族カルボン酸誘導体あるいはその金属化合物、Ｎ，Ｎ−ジアリールチオ尿素誘導体等が好ましい。特に好ましいものはフェノール誘導体である。具体的には、２，２−ビス（４−ヒドロキシフェニル）プロパン、２，２−ビス（４−ヒドロキシフェニル）ブタン、２，２−ビス（４−ヒドロキシフェニル）ペンタン、２，２−ビス（４−ヒドロキシフェニル）ヘプタン、１，１−ビス（４−ヒドロキシフェニル）シクロヘキサン、ビス（４−ヒドロキシフェニル）酢酸ブチル、ビス（４−ヒドロキシフェニル）酢酸ベンジル、ビス（４−ヒドロキシフェニル）スルホン、ビス（３−メチル−４−ヒドロキシフェニル）スルホン、４−ヒドロキシフェニル−４’−メチルフェニルスルホン、３−クロロ−４−ヒドロキシフェニル−４’−メチルフェニルスルホン、３，４−ジヒドロキシフェニル−４’−メチルフェニルスルホン、４−イソプロピルフェニル−４’−ヒドロキシフェニルスルホン、４−イソプロピルオキシフェニル−４’−ヒドロキシフェニルスルホン、ビス（２−アリル−４−ヒドロキシフェニル）スルホン、４−ヒドロキシフェニル−４’−ベンジルオキシフェニルスルホン、４−イソプロピルフェニル−４’−ヒドロキシフェニルスルホン、ビス（２−メチル−３−ｔｅｒｔ．−ブチル−４−ヒドロキシフェニル）スルフィド、４−ヒドロキシ案息香酸エチル。４−ヒドロキシ案息香酸ベンジル。４−ヒドロキシ案息香酸（４’−クロロベンジル）、１，２−ビス（４’−ヒドロキシ案息香酸）エチル、１，５−ビス（４’−ヒドロキシ案息香酸）ベンチル、１，６ビス（４’−ヒドロキシ案息香酸）ヘキシル、３−ヒドロキシフタル酸ジメチル、没食子酸ステアリル、没食子酸ラウリル等が挙げられる。
【００２２】
その他、感熱記録層には顔料として、ケイソウ土、タルク、カオリン、焼成カオリン、炭酸カルシウム、炭酸マグネシウム、酸化チタン、酸化亜鉛、酸化珪素、水酸化アルミニウム、尿素−ホルマリン樹脂等を含有させることもできる。また、ヘッド摩耗防止、スティッキング防止などの目的でステアリン酸亜鉛、ステアリン酸カルシウム等の高級脂肪酸金属塩、パラフィン、酸化パラフィン、ポリエチレン、酸化ポリエチレン、ステアリン酸アミド、カスターワックス等のワックス類を、また、ジオクチルスルホコハク酸ナトリウム等の分散剤、ベンゾフェノン系、ベンゾトリアゾール系などの紫外線吸収剤、さらに界面活性剤、蛍光染料等も必要に応じて含有させることができる。
【００２３】
感熱記録層用いられるバインダーとしては、通常のものが挙げられる。具体例として、デンプン類、ヒドロキシエチルセルロース、メチルセルロース、カルボキシメチルセルロース、ゼラチン、カゼイン、ポリビニルアルコール、変性ポリビニルアルコール、ポリアクリル酸ソーダ、アクリルアミド／アクリル酸エステル共重合体、アクリルアミド／アクリル酸エステル／メタクリル酸３元共重合体、スチレン／無水マレイン酸共重合体のアルカリ塩、エチレン／無水マレイン酸共重合体のアルカリ塩等の水溶性バインダー、およびスチレン／ブタジエン共重合体、アクリロニトリル／ブタジエン共重合体、アクリル酸メチル／ブタジエン共重合体等のラテックス系水不溶性バインダー等が挙げられる。
【００２４】
本発明による感熱記録シートは、支持体上に加熱発色する感熱記録層を設けたものである。支持体としては、紙が主として用いられるが、紙の他に各種織布、不織布、合成樹脂フィルム、ラミネート紙、合成紙、金属箔、あるいはこれらを組み合わせた複合シートを目的に応じて任意に用いることができる。感熱記録層は単一の層で構成されていても複数で構成されていてもよい。例えば、各発色成分を一層づつに含有させ、多層構造としてもよい。また、この感熱記録層上に、１層又は複数の層からなる保護層を設けてもよいし、支持体と感熱記録層の間に、１層又は複数の層からなる中間層を設けてもよい。この感熱記録層は、各発色成分あるいはその他の成分を微粉砕して得られる各々の水性分散液とバインダー等を混合し、支持体上に塗布、乾燥することにより得ることができる。
【００２５】
【実施例１】
５，６−ジシアノ−１，３−ジイミノイソインドレニン２ｇを２．５重量％ポリビニルアルコール水溶液８ｇと共にペイントシェーカーで４時間分散・粉砕し、更に１５重量％ポリビニルアルコール水溶液２．５ｇを加えて１５分間分散して水分散液を得た。別に２，５−ジエトキシベンゼン−１，４−ジイソシアナート２ｇを２．５重量％ポリビニルアルコール水溶液４ｇおよび３１重量％エタノール水溶液４ｇと共にペイントシェーカーで４時間分散・粉砕し、更に１５％重量ポリビニルアルコール水溶液２．５ｇを加えて１５分間分散して水分散液を得た。また、２−ベンジルオキシナフタレン２ｇを２．５重量％ポリビニルアルコール水溶液８ｇと共にペイントシェーカーで４時間分散・粉砕し、更に１５％重量ポリビニルアルコール水溶液２．５ｇを加えて１５分間分散して水分散液を得た。また、２−メトキシ−３−Ｎ，Ｎ−ジエチルスルファモイルアニリン２ｇを２．５重量％ポリビニルアルコール水溶液８ｇと共にペイントシェーカーで４時間分散・粉砕し、更に１５％重量ポリビニルアルコール水溶液２．５ｇを加えて１５分間分散して水分散液を得た。また、炭酸カルシウム２ｇを２．５重量％ポリビニルアルコール水溶液８ｇと共にペイントシェーカーで４時間分散・粉砕し、更に１５％重量ポリビニルアルコール水溶液２．５ｇを加えて１５分間分散して水分散液を得た。これらの分散液を５，６−ジシアノ−１，３−ジイミノイソインドレニン分散液０．７５ｇ、２，５−ジエトキシ−１，４−ジイソシアナート分散液０．５ｇ、２−ベンジルオキシナフタレン分散液１ｇ、２−メトキシ−３−Ｎ，Ｎ−ジエチルスルファモイルアニリン分散液１ｇ、炭酸カルシウム分散液２．５ｇ、更に固形分濃度１６重量％のステアリン酸亜鉛分散液０．７５ｇの配合にて撹拌混合して塗液を得た。この液を５０ｇ／ｍ２の秤量をもつ原紙の上にロッド番号１６番のバーコーターで塗布し、乾燥後スーパーカレンダーで処理して感熱記録シートを得た。感度の評価は、大倉電機製印字試験機で、サーマルヘッドは京セラ製ＫＪＴ−２５６−８ＭＧＦ１を用いて印加電圧２４Ｖパルス幅１．３ｍｓで印字を行った後、マクベス濃度計ＲＳ９１７で印字濃度を測定した。印字濃度は０．９で色調は黒色であった。
【００２６】
【比較例３】
実施例１の５，６−ジシアノ−１，３−ジイミノイソインドレニンの代わりに５−ニトロ−１，３−ジイミノイソインドレニンを用いた他は実施例１と同様に感熱記録シートを作成した。実施例１と同じ条件で感度を測定したところ印字濃度は１．１で色調は黒紫であった。
【００２７】
【比較例４】
実施例１の５，６−ジシアノ−１，３−ジイミノイソインドレニンの代わりに５−メチルスルホニル−１，３−ジイミノイソインドレニンを用いた他は実施例１と同様に感熱記録シートを作成した。実施例１と同じ条件で感度を測定したところ印字濃度は１．０で色調は紫であった。
【００２８】
【実施例２】
実施例１の２，５−ジエトキシベンゼン−１，４−ジイソシアナートの代わりに２，５−ジブトキシベンゼン−１，４−ジイソシアナートを用いた他は実施例１と同様に感熱記録シートを作成した。実施例１と同じ条件で感度を測定したところ印字濃度は１．０で色調は黒であった。
【００２９】
【比較例５】
比較例３の２，５−ジエトキシベンゼン−１，４−ジイソシアナートの代わりに２，５−ジブトキシベンゼン−１，４−ジイソシアナートを用いた他は比較例３と同様に感熱記録シートを作成した。比較例３と同じ条件で感度を測定したところ印字濃度は１．２で色調は黒紫であった。
【００３０】
【比較例６】
比較例４の２，５−ジエトキシベンゼン−１，４−ジイソシアナートの代わりに２，５−ジブトキシベンゼン−１，４−ジイソシアナートを用いた他は比較例４と同様に感熱記録シートを作成した。比較例４と同じ条件で感度を測定したところ印字濃度は１．１で色調は紫であった。
【００３１】
【比較例１】
実施例１の５，６−ジシアノ−１，３−ジイミノイソインドレニンの代わりに４，５，６，７−テトラクロロ−１，３−ジイミノイソインドレニンを用いた他は実施例１と同様に感熱記録シートを作成した。実施例１と同じ条件で感度を測定したところ印字濃度は１．１で色調は赤紫であった。
【００３２】
【比較例２】
実施例１の５，６−ジシアノ−１，３−ジイミノイソインドレニンの代わりに１，３−ジイミノイソインドレニンを用いた他は実施例１と同様に感熱記録シートを作成した。実施例１と同じ条件で感度を測定したところ印字濃度は０．６で色調は茶色であった。
これら実施例・比較例の結果を表１にまとめて示した。
【００３３】
【表１】
0003543858.tif 000004
【００３４】
【発明の効果】
従来のイミノ化合物とイソシアナート化合物の反応による感熱剤および感熱記録材料に比べて、記録の保存安定性、発色色相を黒に近くすることができた。